(57)【要約】  二剤混合容器（１）は、上端に口部（１３）および下端に底部（１２）が設けられた胴部（１１）を有する容器本体（１０）と、容器本体（１０）の内部に口部（１３）を介して挿抜可能な中栓体（２０）と、口部（１３）に対して相対的に回転されることで容器本体（１０）に取り付けおよび取り外しされる蓋体（３０）とを備える。中栓体（２０）は、胴部（１１）の内面の一部に密着可能な栓部（２１）と、栓部（２１）から口部（１３）側に向けて延びる軸部（２２）と、蓋体（３０）に係合可能な係合部（２３）とを有する。蓋体（３０）は、係合部（２３）に係合される被係合部（３５）を有する。中栓体（２０）は、係合部（２３）が被係合部（３５）に係合した状態において、蓋体（３０）の回転に連動して共回りし、軸部（２２）は、中栓体（２０）が回転することによって第二剤（４２）を撹拌可能な撹拌部（２２ａ）を有する。
2016190245.tif 000002
【特許請求の範囲】
【請求項１】
第一剤と第二剤とを分離して収容することができるとともに、開封時において第一剤と第二剤とを混合することができる二剤混合容器であって、
上端に口部および下端に底部が設けられた有底筒状の胴部を有する容器本体と、
前記容器本体の内部に前記口部を介して挿抜可能な中栓体と、
前記容器本体に取り付けられることで前記口部を閉塞し、前記容器本体から取り外されることで前記口部を開放する蓋体とを備え、
前記中栓体は、当該中栓体が前記容器本体の内部に挿入されることで前記底部および前記口部の双方から離隔した部分の前記胴部の内面に密着可能な栓部と、当該中栓体が前記容器本体の内部に挿入された状態において前記栓部から前記口部側に向けて延びる軸部と、前記蓋体に係合可能な係合部とを有し、
前記蓋体は、前記中栓体が前記容器本体の内部に挿入された状態において当該蓋体が前記容器本体に取り付けられることで前記係合部に係合される被係合部を有し、
前記中栓体が前記容器本体の内部に挿入されることにより、第一剤を密閉して収容することができる第１収容室が、前記容器本体のうちの前記中栓体よりも前記底部側に位置する部分である下側胴部と、前記中栓体とによって規定され、
前記中栓体が前記容器本体の内部に挿入された状態において前記蓋体が前記容器本体に取り付けられることにより、第二剤を密閉して収容することができる第２収容室が、前記容器本体のうちの前記中栓体よりも前記口部側に位置する部分である上側胴部と、前記中栓体と、前記蓋体とによって規定され、
前記上側胴部によって規定される部分の前記容器本体の中空部は、前記栓部よりも大きい部位を含み、
前記蓋体は、前記口部に対して相対的に回転されることで前記容器本体に対する取り付けおよび取り外しが可能に構成され、
前記中栓体は、前記係合部が前記被係合部に係合した状態において、前記蓋体の回転に連動して当該蓋体と共回りし、
前記軸部は、前記中栓体が前記蓋体に連動して当該蓋体と共回りすることによって前記第２収容室に収容された第二剤を撹拌可能な撹拌部を有している、二剤混合容器。
【請求項２】
前記撹拌部が、前記中栓体が前記容器本体の内部に挿入された状態において前記軸部の外周面から前記第２収容室側に向けて突出する撹拌翼にて構成されている、請求項１に記載の二剤混合容器。
【請求項３】
前記胴部の内面に前記口部側を向く環状段差面が設けられ、
前記栓部が、前記環状段差面よりも前記底部側に位置する部分の前記胴部に圧入されることによって当該部分の胴部の内面に密着可能に構成されている、請求項２に記載の二剤混合容器。
【請求項４】
前記中栓体が前記容器本体の内部に挿入された状態において、前記撹拌翼の下端が、前記環状段差面に当接する、請求項３に記載の二剤混合容器。
【請求項５】
前記中栓体が前記容器本体の内部に挿入された状態において、前記撹拌翼の外縁が、前記上側胴部の内周面に当接する、請求項２から４のいずれかに記載の二剤混合容器。
【請求項６】
前記撹拌翼が、前記軸部の軸線方向と平行な撹拌面を有し、
前記撹拌面が、前記蓋体を前記口部から取り外す際の前記蓋体の回転方向の下流側を向いている、請求項２から５のいずれかに記載の二剤混合容器。
【請求項７】
前記撹拌翼が、前記軸部の軸線方向と交差する撹拌面を有し、
前記撹拌面が、前記蓋体を前記口部から取り外す際の前記蓋体の回転方向の下流側を向いているとともに、当該下流側に向かうにつれて前記底部側から前記口部側に向かうように傾斜している、請求項２から５のいずれかに記載の二剤混合容器。
【請求項８】
前記蓋体が、前記容器本体に螺合可能に構成されている、請求項１から７のいずれかに記載の二剤混合容器。
【請求項９】
前記中栓体と前記蓋体とが、離合可能に構成されている、請求項１から８のいずれかに記載の二剤混合容器。
【請求項１０】
第一剤および第二剤をさらに備え、
前記中栓体が前記容器本体の内部に挿入されるとともに、前記蓋体が前記容器本体に取り付けられ、
前記第一剤が前記第１収容室に収容されているとともに、前記第二剤が前記第２収容室に収容されている、請求項１から９のいずれかに記載の二剤混合容器。
【発明の詳細な説明】
【技術分野】
【０００１】
本発明は、第一剤と第二剤とを分離して収容することができるとともに、開封時において第一剤と第二剤とを混合することができる二剤混合容器に関する。
【背景技術】
【０００２】
従来、二剤混合容器は、様々な分野で利用されており、医療分野においては、たとえば感染症検査キットにこの二剤混合容器が具備されている場合がある。混合すべき第一剤と第二剤としては、液体と液体との組合せ、液体と固体（粉体や顆粒等）との組合せ、固体と固体との組合せ等が想定される。【０００３】
この二剤混合容器の具体的な構成が開示された文献としては、たとえば特開平６−２７８７５０号公報（特許文献１）や特許第４８４４７０３号公報（特許文献２）等が挙げられる。【０００４】
上記特許文献１には、蓋体が螺合可能な口部を上端に有する容器本体の胴部に括れ部を形成するとともに、当該括れ部に下端が嵌合されるとともに蓋体に上端が嵌合される細長の略円筒状の中栓体を設け、当該中栓体によって区画される容器本体の上下の二室にそれぞれ第一剤と第二剤とを収容し、蓋体の開封時において蓋体と共に中栓体が抜け出ることで第二剤が容器本体の底部側に向けて落下することにより、第一剤と第二剤とが混合されるように構成された二剤混合容器が開示されている。【０００５】
また、上記特許文献２には、容器本体の胴部にテーパ部を形成するとともに、当該テーパ部に下端が嵌合されるとともに上端がシール状の被覆テープによって閉塞された中容器を設け、容器本体に中容器が挿入された状態において容器本体の胴部によって閉塞される位置の中容器の側壁に側面開口部を形成し、容器本体のテーパ部よりも底部側に位置する空間に第一剤を収容するとともに中容器に第二剤を収容し、開封時において中容器を容器本体から取り外すことで第二剤が中容器に設けられた側面開口部を介して容器本体の底部側に向けて落下することにより、第一剤と第二剤とが混合されるように構成された二剤混合容器が開示されている。
【先行技術文献】
【特許文献】
【０００６】
【特許文献１】特開平６−２７８７５０号公報
【特許文献２】特許第４８４４７０３号公報
【発明の概要】
【発明が解決しようとする課題】
【０００７】
上記特許文献１および２に開示された二剤混合容器は、いずれも開封時において容易に第一剤と第二剤とを混合できる点において所期の目的が達成できるものである。しかしながら、これら特許文献１および２に開示された二剤混合容器は、基本的に第二剤が自重によって第一剤へ向けて落下するように構成されたものであり、必ずしも迅速に混合が行なえるものとは言い難い。【０００８】
たとえば、第二剤が液体である場合であって、容器本体と中栓体または中容器との間の隙間が十分に大きくない場合には、第二剤の表面張力によって当該隙間に第二剤が滞留してしまい、これに伴って第二剤の落下のタイミングが遅れて迅速な混合が行なえないこととなってしまう。また、第二剤が多少なりとも粘度の高い液体である場合には、さらに第二剤の落下のタイミングが遅れて迅速な混合が阻害されてしまうことにもなる。【０００９】
また、第二剤が粉体や顆粒等の固体である場合にも、容器本体と中栓体または中容器との間の隙間が十分に大きくない場合には、当該隙間を第二剤が直ちに通過することができず、これに伴って第二剤の落下のタイミングが遅れて迅速な混合が行なえないこととなってしまう。さらに、第二剤が固体である場合には、そもそも第二剤の自重のみによって残らず第二剤を落下させることが困難であり、第二剤の落下のタイミングが遅れることによって多くの第二剤が中栓体または中容器に残ったままの状態にもなり兼ねない。【００１０】
したがって、本発明は、上述した問題に鑑みてなされたものであり、開封時において第一剤と第二剤とを迅速に混合することができる二剤混合容器を提供することを目的とする。
【課題を解決するための手段】
【００１１】
本発明に基づく二剤混合容器は、第一剤と第二剤とを分離して収容することができるとともに、開封時において第一剤と第二剤とを混合することができるものであって、容器本体と、中栓体と、蓋体とを備えている。上記容器本体は、上端に口部および下端に底部が設けられた有底筒状の胴部を有している。上記中栓体は、上記容器本体の内部に上記口部を介して挿抜可能である。上記蓋体は、上記容器本体に取り付けられることで上記口部を閉塞し、上記容器本体から取り外されることで上記口部を開放する。上記中栓体は、当該中栓体が上記容器本体の内部に挿入されることで上記底部および上記口部の双方から離隔した部分の上記胴部の内面に密着可能な栓部と、当該中栓体が上記容器本体の内部に挿入された状態において上記栓部から上記口部側に向けて延びる軸部と、上記蓋体に係合可能な係合部とを有している。上記蓋体は、上記中栓体が上記容器本体の内部に挿入された状態において当該蓋体が上記容器本体に取り付けられることで上記係合部に係合される被係合部を有している。上記中栓体が上記容器本体の内部に挿入されることにより、第一剤を密閉して収容することができる第１収容室が、上記容器本体のうちの上記中栓体よりも上記底部側に位置する部分である下側胴部と、上記中栓体とによって規定される。上記中栓体が上記容器本体の内部に挿入された状態において上記蓋体が上記容器本体に取り付けられることにより、第二剤を密閉して収容することができる第２収容室が、上記容器本体のうちの上記中栓体よりも上記口部側に位置する部分である上側胴部と、上記中栓体と、上記蓋体とによって規定される。上記上側胴部によって規定される部分の上記容器本体の中空部は、上記栓部よりも大きい部位を含んでいる。上記蓋体は、上記口部に対して相対的に回転されることで上記容器本体に対する取り付けおよび取り外しが可能に構成されている。上記中栓体は、上記係合部が上記被係合部に係合した状態において、上記蓋体の回転に連動して当該蓋体と共回りし、上記軸部は、上記中栓体が上記蓋体に連動して当該蓋体と共回りすることによって上記第２収容室に収容された第二剤を撹拌可能な撹拌部を有している。【００１２】
上記本発明に基づく二剤混合容器にあっては、上記撹拌部が、上記中栓体が上記容器本体の内部に挿入された状態において上記軸部の外周面から上記第２収容室側に向けて突出する撹拌翼にて構成されていることが好ましい。【００１３】
上記本発明に基づく二剤混合容器にあっては、上記胴部の内面に上記口部側を向く環状段差面が設けられていてもよく、その場合には、上記栓部が、上記環状段差面よりも上記底部側に位置する部分の上記胴部に圧入されることによって当該部分の胴部の内面に密着可能に構成されていることが好ましい。【００１４】
上記本発明に基づく二剤混合容器にあっては、上記中栓体が上記容器本体の内部に挿入された状態において、上記撹拌翼の下端が、上記環状段差面に当接することが好ましい。【００１５】
上記本発明に基づく二剤混合容器にあっては、上記中栓体が上記容器本体の内部に挿入された状態において、上記撹拌翼の外縁が、上記上側胴部の内周面に当接することが好ましい。【００１６】
上記本発明に基づく二剤混合容器にあっては、上記撹拌翼が、上記軸部の軸線方向と平行な撹拌面を有していてもよく、その場合には、上記撹拌面が、上記蓋体を上記口部から取り外す際の上記蓋体の回転方向の下流側を向いていることが好ましい。【００１７】
上記本発明に基づく二剤混合容器にあっては、上記撹拌翼が、上記軸部の軸線方向と交差する撹拌面を有していてもよく、その場合には、上記撹拌面が、上記蓋体を上記口部から取り外す際の上記蓋体の回転方向の下流側を向いているとともに、当該下流側に向かうにつれて上記底部側から上記口部側に向かうように傾斜していることが好ましい。【００１８】
上記本発明に基づく二剤混合容器にあっては、上記蓋体が、上記容器本体に螺合可能に構成されていることが好ましい。【００１９】
上記本発明に基づく二剤混合容器にあっては、上記中栓体と上記蓋体とが、離合可能に構成されていてもよい。【００２０】
上記本発明に基づく二剤混合容器は、第一剤および第二剤をさらに備えていてもよく、その場合には、上記中栓体が上記容器本体の内部に挿入されるとともに、上記蓋体が上記容器本体に取り付けられることにより、上記第一剤が上記第１収容室に収容されているとともに、上記第二剤が上記第２収容室に収容されていることが好ましい。
【発明の効果】
【００２１】
本発明によれば、開封時において第一剤と第二剤とを迅速に混合することができる二剤混合容器とすることができる。
【図面の簡単な説明】
【００２２】
【図１】本発明の実施の形態に係る二剤混合容器の収容状態における斜視図である。
【図２】本発明の実施の形態に係る二剤混合容器の収容状態における断面図である。
【図３】本発明の実施の形態に係る二剤混合容器の分解斜視図である。
【図４】本発明の実施の形態に係る二剤混合容器の中栓体の斜視図である。
【図５】本発明の実施の形態に係る二剤混合容器の蓋体の斜視図である。
【図６】本発明の実施の形態に係る二剤混合容器を用いて第一剤および第二剤を収容する場合の組立手順を示す概略図である。
【図７】本発明の実施の形態に係る二剤混合容器を用いて第一剤および第二剤を収容する場合の組立手順を示す概略図である。
【図８】本発明の実施の形態に係る二剤混合容器を開封して第一剤および第二剤を混合する場合の操作手順を示す概略図である。
【図９】本発明の実施の形態に係る二剤混合容器を開封して第一剤および第二剤を混合する際の撹拌翼の動きを説明するための概略図である。
【図１０】第１変形例に係る二剤混合容器の中栓体の斜視図である。
【図１１】第２変形例に係る二剤混合容器の中栓体の斜視図である。
【図１２】第３変形例に係る二剤混合容器の中栓体の斜視図である。
【発明を実施するための形態】
【００２３】
以下、本発明の実施の形態について、図を参照して詳細に説明する。なお、以下に示す実施の形態においては、同一のまたは共通する部分について図中同一の符号を付し、その説明は繰り返さない。
【００２４】
以下に示す実施の形態は、感染症検査キットの一種であるＡ群ベータ溶血連鎖球菌抗原キットに具備される二剤混合容器に本発明を適用した場合を例示するものである。ここで、後述する第一剤および第二剤は、所定の成分を含む溶液である。
【００２５】
図１および図２は、本発明の実施の形態に係る二剤混合容器の収容状態における斜視図および断面図である。また、図３は、本実施の形態に係る二剤混合容器の分解斜視図であり、図４および図５は、それぞれ本実施の形態に係る二剤混合容器の中栓体および蓋体の斜視図である。まず、これら図１ないし図５を参照して、本実施の形態に係る二剤混合容器１の構成について説明する。
【００２６】
図１ないし図３に示すように、二剤混合容器１は、容器本体１０と、中栓体２０と、蓋体３０とを備えている。中栓体２０は、容器本体１０の内部に挿抜可能であり、蓋体３０は、容器本体１０に対して取り付けおよび取り外しが可能である。また、図２に示すように、収容状態においては、二剤混合容器１は、さらに液状の第一剤４１および第二剤４２を備えている。第一剤４１および第二剤４２は、収容状態において容器本体１０の内部の所定位置にそれぞれ分離されて収容される。
【００２７】
図１ないし図３に示すように、容器本体１０は、有底略円筒状の胴部１１を有しており、胴部１１の内部には、当該胴部１１によって規定される中空部が形成されている。胴部１１の下端には、底部１２が設けられており、胴部１１の上端には、口部１３が設けられている。このうち、口部１３は、中栓体２０を容器本体１０の内部に挿抜可能にするとともに、第一剤４１および第二剤４２を容器本体１０の内部に注入可能にする部位である。なお、胴部１１は、その内部に形成される中空部の直径が底部１２側から口部１３側に向かうにつれて段階的に大きくなるように構成されている。
【００２８】
胴部１１の所定位置には、環状形状の鍔部１４が設けられている。具体的には、鍔部１４は、胴部１１の外周面から外側に向けて突出するように形成されている。当該鍔部１４は、蓋体３０が容器本体１０に取り付けられる際に、蓋体３０の下端が当て留めされる部位である。
【００２９】
胴部１１の鍔部１４が設けられた位置よりも口部１３側に位置する部分の外周面には、雄ネジ部１５が設けられている。雄ネジ部１５は、容器本体１０に蓋体３０を取り付けるための部位であり、螺旋状に設けられたネジ山によって構成されている。
【００３０】
図２に示すように、胴部１１は、底部１２側に位置する下側胴部１１ａと、口部１３側に位置する上側胴部１１ｂと、これら下側胴部１１ａと上側胴部１１ｂとの間に位置する被圧入部１１ｄとを含んでいる。このうち、被圧入部１１ｄは、中栓体２０の後述する栓部２１が圧入される部位であり、胴部１１のうちの底部１２および口部１３の双方から離隔した位置に設けられている。
【００３１】
下側胴部１１ａは、主として第一剤４１を収容するための第１収容室Ｓ１を規定する部位であり、胴部１１の被圧入部１１ｄよりも底部１２側の部分によって構成される。一方、上側胴部１１ｂは、主として第二剤４２を収容するための第２収容室Ｓ２を規定する部位であり、胴部１１の被圧入部１１ｄよりも口部１３側の部分によって構成される。
【００３２】
また、胴部１１の内面の所定位置には、口部１３側を向く環状段差面１１ｃが設けられている。具体的には、環状段差面１１ｃは、上述した被圧入部１１ｄと上側胴部１１ｂとの境界部に設けられている。当該環状段差面１１ｃが設けられることにより、上側胴部１１ｂによって規定される部分の中空部の大きさ（すなわち直径）は、被圧入部１１ｄによって規定される部分の中空部の大きさ（すなわち直径）よりも大きいことになる。
【００３３】
図２ないし図４に示すように、中栓体２０は、上下方向を軸線ＡＸ方向（図４参照）として当該軸線ＡＸ方向に沿って延びる、上端が閉塞された細長の略筒状の部材からなる。中栓体２０は、下端に位置する栓部２１と、栓部２１から上方に向けて延びる軸部２２と、軸部２２の上端に設けられた係合部２３とを有している。
【００３４】
栓部２１は、略円筒状の形状を有しており、上述した容器本体１０の被圧入部１１ｄに圧入される部位である。図４に示すように、栓部２１の外周面には、外側に向けて突出する環状形状の密閉用突起部２１ａが設けられている。当該密閉用突起部２１ａは、中栓体２０が容器本体１０の内部に挿入された状態において、容器本体１０の被圧入部１１ｄに密着する部位である。
【００３５】
軸部２２は、略円筒状の形状を有しており、中栓体２０が容器本体１０の内部に挿入された状態において、栓部２１から容器本体１０の口部１３側に向けて延びるように立設されている。当該軸部２２は、中栓体２０が容器本体１０の内部に挿入された状態において、容器本体１０の上側胴部１１ｂの内周面から所定の距離をもって離隔して位置し、蓋体３０が容器本体１０に取り付けられた状態において、蓋体３０に設けられた後述する内側立壁部３３にその一部が内挿される。
【００３６】
係合部２３は、軸部２２の上端部近傍の外周面から外側に向けて突出する環状形状の圧入用突起部２３ａと、軸部２２の上端部から上方に向けて突出する連動用凸部２３ｂとを含んでいる。ここで、連動用凸部２３ｂは、概ね四角柱状の形状を有している。これら圧入用突起部２３ａおよび連動用凸部２３ｂからなる係合部２３は、蓋体３０に設けられた後述する被係合部３５に係合可能な部位である。
【００３７】
軸部２２には、撹拌部としての撹拌翼２２ａが設けられている。より詳細には、撹拌翼２２ａは、軸部２２の外周面の所定位置に外側に向けて突出するように軸部２２の周方向に沿って複数並んで設けられており、そのそれぞれは、上下方向に向けて延在する平板状の形状を有している。撹拌翼２２ａは、軸部２２のうちの栓部２１寄りの位置に設けられている。
【００３８】
図１ないし図３および図５に示すように、蓋体３０は、略円筒状の周壁部３１と当該周壁部３１の上端に設けられた天板部３２とを有する有底略円筒状の部材からなる。周壁部３１の内周面には、当該蓋体３０を容器本体１０に取り付けるための雌ネジ部３６が設けられている。当該雌ネジ部３６は、螺旋状に設けられたネジ溝によって構成されており、上述した容器本体１０の口部１３に設けられた雄ネジ部１５に螺合可能である。
【００３９】
これにより、蓋体３０は、容器本体１０の口部１３に対して相対的に回転されることで容器本体１０に対してその取り付けおよび取り外しが行なわれることになり、容器本体１０に取り付けられた状態において容器本体１０の口部１３を閉塞し、容器本体１０から取り外された状態において容器本体１０の口部１３を開放する。
【００４０】
図２および図５に示すように、蓋体３０の天板部３２には、内側立壁部３３および外側立壁部３４が設けられている。より詳細には、内側立壁部３３および外側立壁部３４は、いずれも略円筒状の形状を有しており、天板部３２の下面から下方に向けて突出して位置している。
【００４１】
内側立壁部３３は、中栓体２０が容器本体１０に挿入されるとともに、さらに蓋体３０が容器本体１０に取り付けられた状態において、上述した中栓体２０の軸部２２の上端側部分を受け入れるための部位である。外側立壁部３４は、内側立壁部３３を囲うように位置しており、蓋体３０が容器本体１０に取り付けられた場合に、容器本体１０の口部１３に圧入されることで密着する部位である。
【００４２】
内側立壁部３３および当該内側立壁部３３によって囲われた部分の天板部３２には、被係合部３５が設けられている。被係合部３５は、内側立壁部３３の内周面に設けられた環状形状の圧入用溝部３５ａと、天板部３２の下面に設けられた連動用凹部３５ｂとを含んでいる。ここで、連動用凹部３５ｂは、概ね四角柱状の凹状形状を有している。これら圧入用溝部３５ａおよび連動用凹部３５ｂからなる被係合部３５は、上述した中栓体２０に設けられた係合部２３に係合される部位である。
【００４３】
本実施の形態に係る二剤混合容器１にあっては、上述した中栓体２０と蓋体３０とが離合可能に構成されており、中栓体２０に設けられた係合部２３のうちの圧入用突起部２３ａが蓋体３０に設けられた被係合部３５のうちの圧入用溝部３５ａに圧入されることによって中栓体２０と蓋体３０とが結合された状態が維持されることになるとともに、圧入用突起部２３ａが圧入用溝部３５ａから引き抜かれることで中栓体２０と蓋体３０とが分離された状態が実現されることになる。
【００４４】
なお、上述した二剤混合容器１を構成する容器本体１０、中栓体２０および蓋体３０は、いずれも射出成形等によって製作された樹脂製の部材にて構成されていることが好ましい。
【００４５】
図１および図２に示すように、収容状態においては、容器本体１０の内部に口部１３を介して中栓体２０が挿入されるとともに、当該口部１３を閉塞するように蓋体３０が容器本体１０に螺着される。この収容状態においては、容器本体１０の内部の空間が中栓体２０によって第１収容室Ｓ１と第２収容室Ｓ２とに区画されることになり、第１収容室Ｓ１に第一剤４１が、また第２収容室Ｓ２に第二剤４２が、それぞれ収容されることになる。
【００４６】
より詳細には、中栓体２０の栓部２１が容器本体１０の被圧入部１１ｄに圧入されることにより、第一剤４１が収容される第１収容室Ｓ１が、容器本体１０の底部１２を含む下側胴部１１ａと、中栓体２０とによって規定されることになり、第二剤４２が収容される第２収容室Ｓ２が、容器本体１０の口部１３を含む上側胴部１１ｂと、中栓体２０と、蓋体３０とによって規定されることになる。
【００４７】
なお、上側胴部１１ｂによって規定される部分の容器本体１０の中空部（すなわち、第２収容室Ｓ２に該当する部分の空間）は、中栓体２０の栓部２１の大きさよりも大きく構成されている。このように構成することにより、中栓体２０が容器本体１０から抜き出されるに際して、容器本体１０の胴部１１の内周面と中栓体２０の栓部２１の外周面との間に隙間が生じることになり、当該隙間を介して第二剤４２が第一剤４１が収容された第１収容室Ｓ１に向けて落下することになる。
【００４８】
ここで、上述したように、本実施の形態に係る二剤混合容器１においては、軸部２２が複数の撹拌翼２２ａを有している。撹拌翼２２ａは、容器本体１０の内部において中栓体２０が軸線ＡＸ（図４参照）を回転中心として回転することにより、第２収容室Ｓ２に収容された第二剤４２を撹拌可能にするものである。なお、中栓体２０は、二剤混合容器１の開封時において蓋体３０の回転に連動して当該蓋体３０と共回りし、これによって上述した撹拌翼２２ａによる第二剤４２の撹拌が行なわれることになるが、その詳細については、後述することとする。
【００４９】
図６および図７は、本実施の形態に係る二剤混合容器を用いて第一剤および第二剤を収容する場合の組立手順を示す概略図である。以下、これら図６および図７を参照して、本実施の形態に係る二剤混合容器１を用いて第一剤４１および第二剤４２を収容する場合の組立手順について説明する。
【００５０】
本実施の形態に係る二剤混合容器１を組立てるに際しては、まず、図６（Ａ）に示すように、容器本体１０に第一剤４１が収容される。具体的には、容器本体１０の胴部１１に対して口部１３を介して第一剤４１が注入されることにより、容器本体１０に第一剤４１が収容される。
【００５１】
次に、図６（Ｂ）に示すように、容器本体１０の内部に中栓体２０が挿入される。具体的には、容器本体１０の被圧入部１１ｄに中栓体２０の栓部２１が圧入されることとなるように中栓体２０が胴部１１に挿入される。これにより、第一剤４１が、容器本体１０の下側胴部１１ａと中栓体２０とによって規定される第１収容室Ｓ１内において密閉されることになる。
【００５２】
このとき、中栓体２０の軸部２２に設けられた撹拌翼２２ａの下端が容器本体１０の胴部１１に設けられた環状段差面１１ｃに当接するように構成することにより、挿入方向における中栓体２０の容器本体１０に対する位置決めが容易に行なえることになる。また、当該撹拌翼２２ａの外縁が容器本体１０の上側胴部１１ｂの内周面に当接するように構成することにより、挿入方向と交差する方向における中栓体２０の容器本体１０に対する位置決めが容易に行なえることになり、結果として栓部２１が被圧入部１１ｄに向けてスムーズに案内されることになる。
【００５３】
次に、図６（Ｃ）に示すように、容器本体１０に第二剤４２が収容される。具体的には、容器本体１０の胴部１１に対して口部１３を介して第二剤４２が注入されることにより、容器本体１０に第二剤４２が収容される。ここで、容器本体１０の内部の空間は、既に中栓体２０によって区画されているため、容器本体１０の注入された第二剤４２は、容器本体１０の上側胴部１１ｂと中栓体２０とによって規定される空間に収容される。なお、その際、中栓体２０の軸部２２に設けられた撹拌翼２２ａは、少なくともその一部が第二剤４２中に埋没した状態となる。
【００５４】
次に、図７（Ａ）に示すように、容器本体１０に蓋体３０が取り付けられる。具体的には、容器本体１０の口部１３に対向するように蓋体３０が配置され、容器本体１０に設けられた雄ネジ部１５に蓋体３０に設けられた雌ネジ部３６が螺合することとなるように口部１３に対して蓋体３０が図中に示す矢印ＤＲ１方向に向けて回転されることにより、蓋体３０が容器本体１０に螺着される。
【００５５】
その際、蓋体３０の内側立壁部３３は、中栓体２０の軸部２２の上端部に外挿されることになる。このとき、蓋体３０が容器本体１０に捻じ込まれることにより、蓋体３０の内側立壁部３３に設けられた圧入用溝部３５ａに中栓体２０の軸部２２の上端部近傍に設けられた圧入用突起部２３ａが圧入されることで圧入用突起部２３ａが圧入用溝部３５ａに係合することになる。また、これと同時に、蓋体３０の天板部３２に設けられた連動用凹部３５ｂに中栓体２０の軸部２２の上端部近傍に設けられた連動用凸部２３ｂが挿入されることで連動用凸部２３ｂが連動用凹部３５ｂに係合することになる。
【００５６】
また、これとほぼ同時に、蓋体３０の外側立壁部３４が容器本体１０の口部１３に圧入される。これにより、図７（Ｂ）に示すように、第二剤４２が容器本体１０の上側胴部１１ｂと中栓体２０と蓋体３０とによって規定される第２収容室Ｓ２内において密閉されることになる。
【００５７】
以上により、二剤混合容器１の組立てが完了することになり、二剤混合容器１の内部において、第一剤４１と第二剤４２とが分離されて収容された図２に示す如くの収容状態が実現できることになる。
【００５８】
なお、当該収容状態においては、圧入用突起部２３ａが圧入用溝部３５ａに係合することにより、中栓体２０と蓋体３０とが中栓体２０の軸線ＡＸ方向において結合することになる。そのため、中栓体２０と蓋体３０とは、中栓体２０の軸線ＡＸ方向に沿って相対的に相当程度の外力が加えられない限り（すなわち、圧入用突起部２３ａを圧入用溝部３５ａから引き抜くために必要となる外力が加えられない限り）分離することがなくなる。
【００５９】
また、当該収容状態においては、連動用凸部２３ｂが連動用凹部３５ｂに係合することにより、中栓体２０が蓋体３０の回転に連動して蓋体３０と共回りするようになる。より具体的には、蓋体３０が回転した場合に、四角柱状の連動用凸部２３ｂの側面が四角柱状の凹状形状を有する凹部の側面に当接することになり、これによって中栓体２０が蓋体３０の回転に連動して蓋体３０と供回りするようになる。
【００６０】
したがって、一旦、二剤混合容器１が組立てられて収容状態とされた後は、係合部２３と被係合部３５との係合が解除されない限り（すなわち、中栓体２０と蓋体３０とが分離されない限り）においては、蓋体３０と中栓体２０とは、一体的に挙動することになる。
【００６１】
図８は、本実施の形態に係る二剤混合容器を開封して第一剤および第二剤を混合する場合の操作手順を示す概略図であり、図９は、第一剤および第二剤を混合する際の撹拌翼の動きを説明するための概略図である。次に、これら図８および図９を参照して、本実施の形態に係る二剤混合容器１を開封して第一剤４１および第二剤４２を混合する場合の操作手順ならびにその際の撹拌翼２２ａの動きについて説明する。なお、図９は、蓋体３０が取り外される際の、第２収容室Ｓ２を上方から見下ろした透視図であり、当該図９においては、蓋体３０および第二剤４２の図示は省略している。
【００６２】
本実施の形態に係る二剤混合容器１を開封して第一剤４１および第二剤４２を混合するに際しては、まず、図８（Ａ）に示すように、収容状態にある二剤混合容器１の蓋体３０が鉛直上方に位置しかつ容器本体１０が蓋体３０の下方に位置するように起立させた状態とされる。
【００６３】
次に、図８（Ｂ）に示すように、容器本体１０から蓋体３０が取り外される。具体的には、容器本体１０に設けられた雄ネジ部１５に蓋体３０に設けられた雌ネジ部３６が螺合した状態が解除されることとなるように口部１３に対して蓋体３０が図中に示す矢印ＤＲ２方向（上述した矢印ＤＲ１方向と逆方向）に向けて回転される。
【００６４】
このとき、上述したように中栓体２０が蓋体３０の回転に連動して蓋体３０と共回りすることになるため、図９に示すように、中栓体２０が第２収容室Ｓ２内において軸線ＡＸを回転中心として回転することになる。これに伴い、軸部２２の外周面から外側に向けて突出して設けられた複数の撹拌翼２２ａが第二剤４２を撹拌するように図中矢印ＡＲ１方向に向けて回転することになり、これによって第二剤４２に動きが生じることになる。
【００６５】
ここで、撹拌翼２２ａは、上述したように上下方向に向けて延在する平板状の形状を有しているため、当該撹拌翼２２ａは、中栓体２０の軸線ＡＸ方向と平行であるとともに、蓋体３０を容器本体１０の口部１３から取り外す際の蓋体３０の回転方向（すなわち矢印ＤＲ２方向）の下流側を向く撹拌面を有することになる。したがって、当該撹拌面が図中に示す矢印ＡＲ１方向に向けて移動することにより、当該撹拌面によって第二剤４２が押し退けられることで、上述した第二剤４２の動きが当該第二剤４２の全体にわたって生じることになる。
【００６６】
また、これとほぼ同時に、図８（Ｂ）に示すように、容器本体１０に対して蓋体３０が遠ざかるように移動することにより、容器本体１０の被圧入部１１ｄに密着していた中栓体２０の栓部２１が当該被圧入部１１ｄから引き抜かれることになる。これに伴い、容器本体１０の胴部１１と中栓体２０の栓部２１との間に隙間が生じることになり、第１収容室Ｓ１と第２収容室Ｓ２とが連通した状態となる。
【００６７】
さらには、これとほぼ同時に、容器本体１０に対して蓋体３０が遠ざかるように移動することにより、容器本体１０の口部１３と蓋体３０の外側立壁部３４との密着も解除されることになる。これに伴い、容器本体１０と蓋体３０との間にも隙間が生じることになり、当該隙間を介して第２収容室Ｓ２と二剤混合容器１の外部の空間とが連通した状態となる。
【００６８】
その結果、第２収容室Ｓ２に収容されていた第二剤４２は、その自重と上述した動きとに起因して、容器本体１０の胴部１１と中栓体２０の栓部２１との間に生じた隙間を介して第１収容室Ｓ１側に向けて（すなわち図中に示す矢印ＡＲ２方向に向けて）落下を開始することになる。
【００６９】
その後、図８（Ｃ）に示すように、容器本体１０から蓋体３０が完全に取り外されて中栓体２０が抜き出されたタイミングにおいては、既に第二剤４２がすべて落下して第一剤４１に混合された状態となっており、これにより二剤混合容器１の開封に伴って第一剤４１と第二剤４２とが混合されることになる。
【００７０】
ここで、上述した混合に際しては、撹拌翼２２ａが回転することによって第二剤４２が撹拌されて動きが生じた状態にあるため、容器本体１０の胴部１１と中栓体２０の栓部２１との間に隙間が生じた際に直ちに第二剤４２が当該隙間を介して第１収容室Ｓ１側に向けて落下を開始することになる。すなわち、容器本体１０と中栓体２０との間の隙間が十分に大きく形成される以前の小さな状態（換言すれば、仮に第二剤４２がほぼ静止した状態においては、その表面張力によって第二剤４２が滞留して落下を開始できない程度に小さな隙間が形成されたに過ぎない状態）においても、第二剤４２に動きがあることによって当該表面張力を打ち破って第二剤４２が落下できることになる。
【００７１】
したがって、本実施の形態に係る二剤混合容器１においては、開封とほぼ同時に液状の第一剤４１および第二剤４２を混合することが可能になり、これら第一剤４１と第二剤４２とを混合することができるという所期の目的が達成できるばかりではなく、遅滞なく迅速に第一剤４１と第二剤４２とを混合することができる目的も達成できることになる。
【００７２】
また、本実施の形態に係る二剤混合容器１においては、開封時において第二剤４２に積極的に動きを生じさせることができるものであるため、第二剤４２が多少なりとも粘度の高い液体である場合や、第二剤４２が粉体や顆粒等の固体である場合にも、これらを迅速に第一剤４１に向けて落下させることが可能になるとともに、さらにはこれらが中栓体２０に残ったままの状態となることを抑制することもできる。
【００７３】
以上において説明した二剤混合容器１は、軸線方向と平行な撹拌面を有する撹拌翼が設けられた中栓体を利用したものであったが、これとは異なる形状の撹拌翼を具備した中栓体を利用することも可能である。図１０ないし図１２は、第１ないし第３変形例に係る二剤混合容器の中栓体の斜視図である。これら図１０ないし図１３に示す中栓体２０Ａ〜２０Ｃは、いずれも上述した中栓体２０に代えて二剤混合容器１に具備させることができるものである。
【００７４】
図１０に示す第１変形例に係る中栓体２０Ａにおいては、軸部２２に設けられた複数の撹拌翼のうちの一部が、当該中栓体２０Ａの軸線ＡＸ方向と平行であるとともに、蓋体３０を容器本体１０の口部１３から取り外す際の蓋体３０の回転方向（すなわち矢印ＤＲ２方向）の下流側を向く撹拌翼２２ａにて構成されている。
【００７５】
一方、当該第１変形例に係る中栓体２０Ａにおいては、軸部２２に設けられた複数の撹拌翼のうちの上記一部を除く残りが、当該中栓体２０Ａの軸線ＡＸ方向と交差するとともに、上記蓋体３０の回転方向（すなわち矢印ＤＲ２方向）の下流側を向き、かつ、当該下流側に向かうにつれて中栓体２０Ａの下端側（すなわち、中栓体２０Ａが容器本体１０の内部に挿入された状態における容器本体１０の底部１２側）から上端側（すなわち、中栓体２０Ａが容器本体１０の内部に挿入された状態における容器本体１０の口部１３側）に向かうように傾斜する撹拌面を有する撹拌翼２２ｂにて構成されている。
【００７６】
また、図１１に示す第２変形例に係る中栓体２０Ｂにおいては、軸部２２に設けられた複数の撹拌翼の全てが、当該中栓体２０Ｂの軸線ＡＸ方向と交差するとともに、上記蓋体３０の回転方向（すなわち矢印ＤＲ２方向）の下流側を向き、かつ、当該下流側に向かうにつれて中栓体２０Ｂの下端側から上端側に向かうように傾斜する撹拌面を有する撹拌翼２２ｂにて構成されている。
【００７７】
さらに、図１２に示す第３変形例に係る中栓体２０Ｃにおいては、軸部２２に設けられた複数の撹拌翼の全てが、当該中栓体２０Ｂの軸線ＡＸ方向と交差するとともに、上記蓋体３０の回転方向（すなわち矢印ＤＲ２方向）の下流側を向き、かつ、当該下流側に向かうにつれて中栓体２０Ｂの下端側から上端側に向かうように傾斜する撹拌面を有するスクリュー状の撹拌翼２２ｃにて構成されている。
【００７８】
これら第１ないし第３変形例の如くの中栓体２０Ａ〜２０Ｃを具備した二剤混合容器１とした場合には、開封時において、これら中栓体２０Ａ〜２０Ｃに設けられた傾斜形状の撹拌面（すなわち、撹拌翼２２ｂ，２２ｃが有する撹拌面）によって第二剤４２が積極的に下方に向けて押し退けられることになるため、容器本体１０と中栓体２０Ａ〜２０Ｃとの間に生じた隙間に向けて第二剤４２をより効率的に送り込むことが可能になる。したがって、当該構成の中栓体２０Ａ〜２０Ｃを用いることにより、さらに迅速に第一剤４１と第二剤４２とを混合することが可能になる。
【００７９】
なお、撹拌翼に設けられる撹拌面の形状は、上述した形状に限られるものではなく、他の形状を採用することも当然に可能である。さらには、必ずしも軸部から突出するように撹拌翼を設ける必要はなく、軸部自体を平板状または屈曲板状あるいは湾曲板状に構成すること等により、第二剤を軸部自体によって撹拌可能に構成してもよい。
【００８０】
上述した本発明の実施の形態およびその変形例においては、中栓体と蓋体とが離合可能に構成された場合を例示して説明を行なったが、これらを離合可能に構成する必要性は必ずしもなく、これらの結合構造にいわゆる嵌め殺し構造を適用することにより、中栓体を蓋体に一旦係合させた後においてはこれらが分離することがないように構成することも当然に可能である。
【００８１】
また、上述した本発明の実施の形態およびその変形例においては、蓋体を容器本体に螺合可能に構成した場合を例示して説明を行なったが、蓋体が容器本体に対して相対的に回転されることで容器本体に対する蓋体の取り付けおよび取り外しが可能に構成されていれば、必ずしも蓋体を容器本体に螺合可能に構成する必要性はない。
【００８２】
また、上述した本発明の実施の形態およびその変形例においては、中栓体の栓部の外周面が容器本体の内周面に密着することで容器本体の内部の空間が第１収容室と第２収容室とに区画されるように構成した場合を例示して説明を行なったが、中栓体の下端が容器本体の環状段差面に突き当たってこれに密着することで容器本体の内部の空間が第１収容室と第２収容室とに区画されるように構成することも当然に可能である。
【００８３】
また、上述した本発明の実施の形態およびその変形例においては、容器本体の内面の所定位置に環状段差面を設けることで上側胴部によって規定される部分の容器本体の中空部を栓部よりも大きく構成した場合を例示して説明を行なったが、特に環状段差面を設けずとも容器本体の内面を傾斜させること等で上側胴部によって規定される部分の容器本体の中空部を栓部よりも大きく構成することが可能であるため、必要に応じてそのように構成してもよい。
【００８４】
さらに、上述した本発明の実施の形態およびその変形例においては、第一剤および第二剤が共に液状である場合を主として例示して説明を行なったが、これらの一方または双方を粉体や顆粒等の固体とすることも当然に可能である。
【００８５】
加えて、上述した本発明の実施の形態およびその変形例においては、感染症検査キットの一種であるＡ群ベータ溶血連鎖球菌抗原キットに具備される二剤混合容器に本発明を適用した場合を例示して説明を行なったが、他の種類の感染症検査キットに具備される二剤混合容器に本発明を適用することも可能であり、さらには感染症検査キット以外の各種の二剤混合容器に本発明を適用することも当然に可能である。
【００８６】
このように、今回開示した上記実施の形態およびその変形例はすべての点で例示であって、制限的なものではない。本発明の技術的範囲は請求の範囲によって画定され、また請求の範囲の記載と均等の意味および範囲内でのすべての変更を含むものである。
【符号の説明】
【００８７】
１  二剤混合容器、１０  容器本体、１１  胴部、１１ａ  下側胴部、１１ｂ  上側胴部、１１ｃ  環状段差面、１１ｄ  被圧入部、１２  底部、１３  口部、１４  鍔部、１５  雄ネジ部、２０，２０Ａ〜２０Ｃ  中栓体、２１  栓部、２１ａ  密閉用突起部、２２  軸部、２２ａ〜２２ｃ  撹拌翼、２３  係合部、２３ａ  圧入用突起部、２３ｂ  連動用凸部、３０  蓋体、３１  周壁部、３２  天板部、３３  内側立壁部、３４  外側立壁部、３５  被係合部、３５ａ  圧入用溝部、３５ｂ  連動用凹部、３６  雌ネジ部、４１  第一剤、４２  第二剤、ＡＸ  軸線、Ｓ１  第１収容室、Ｓ２  第２収容室。
【図１】
2016190245.tif 000003
【図２】
2016190245.tif 000004
【図３】
2016190245.tif 000005
【図４】
2016190245.tif 000006
【図５】
2016190245.tif 000007
【図６】
2016190245.tif 000008
【図７】
2016190245.tif 000009
【図８】
2016190245.tif 000010
【図９】
2016190245.tif 000011
【図１０】
2016190245.tif 000012
【図１１】
2016190245.tif 000013
【図１２】
2016190245.tif 000014
【国際調査報告】
2016190245.tif 000015
2016190245.tif 000016
2016190245.tif 000017
2016190245.tif 000018